(57)【要約】【課題】本発明は、ＰＯＮシステムネットワークのループ現象を防止することが可能で、上位装置との間でデータの不通状態を回避することができ、不要データの占有を回避して信号帯域を有効活用することができるＰＯＮシステムを提供することを目的とする。【解決手段】本発明は、ＯＬＴ１０２と、分岐器１０３及び光ファイバ１０４，１０５，１０６と、ＯＮＵ１，２，３とを備えるＰＯＮシステムである。ＯＮＵ１は、ＳＡ２検出回路１３で検出された上り信号の送信元アドレスＳＡを、他学習テーブル１１に格納された下り信号の送信元アドレスＳＡと比較部１４で比較する。比較部１４で両者が一致する場合、透過／廃棄処理部１５は上り信号を廃棄し、他の場合、透過／廃棄処理部１５は上り信号を透過させる。【選択図】図１
2007243861.tif 000002
【特許請求の範囲】
【請求項１】
上位装置に接続される局側装置と、
前記局側装置に接続され、複数に分岐される光伝送路と、
前記光伝送路のそれぞれに接続される端末装置とを備えるＰＯＮシステムであって、
前記端末装置は、
下位装置が接続されるポートと、
前記光伝送路を介し前記局側装置から送信された下り信号の送信元アドレスを検出する第１送信元検出回路と、
前記ポートで受信した上り信号の送信元アドレスを検出する第２送信元検出回路と、
前記第１送信元検出回路で検出された前記下り信号の送信元アドレスを格納する他学習テーブルと、
前記第２送信元検出回路で検出された前記上り信号の送信元アドレスを、前記他学習テーブルに格納された前記下り信号の送信元アドレスと比較する比較部と、
前記比較部において、前記上り信号の送信元アドレスと前記他学習テーブルに格納された送信元アドレスとが一致する場合に前記上り信号を廃棄し、他の場合に前記上り信号を透過させる透過／廃棄処理部とを備えるＰＯＮシステム。
【請求項２】
上位装置に接続される局側装置と、
前記局側装置に接続され、複数に分岐される光伝送路と、
前記光伝送路のそれぞれに接続される端末装置とを備えるＰＯＮシステムであって、
前記端末装置は、
下位装置が接続されるポートと、
前記光伝送路を介し前記局側装置から送信された他の前記端末装置に接続された前記下位装置の下り信号の宛先アドレスを検出する第１宛先検出回路と、
前記ポートで受信した上り信号の宛先アドレスを検出する第２宛先検出回路と、
前記第１宛先検出回路で検出された前記下り信号の宛先アドレスを格納する他学習テーブルと、
前記第２宛先検出回路で検出された前記上り信号の宛先アドレスを、前記他学習テーブルに格納された前記下り信号の宛先アドレスと比較する比較部と、
前記比較部において、前記上り信号の宛先アドレスと前記他学習テーブルに格納された宛先アドレスとが一致する場合に前記上り信号を廃棄し、他の場合に前記上り信号を透過させる透過／廃棄処理部と、
前記下位装置のアドレスを格納する自学習テーブルとを備えるＰＯＮシステム。
【請求項３】
上位装置に接続される局側装置と、
前記局側装置に接続され、複数に分岐される光伝送路と、
前記光伝送路のそれぞれに接続される端末装置とを備えるＰＯＮシステムであって、
前記端末装置は、
下位装置を接続するためのポートと、
前記ポートに接続された前記下位装置に対して前記端末装置の製造コードを送信するコード送信部と、
前記下位装置から送信される製造コードを検出するコード検出部と、
前記コード検出部で検出した前記下位装置の製造コードが、前記端末装置の製造コードと一致するか否かを比較する比較部と、
前記比較部において、前記コード検出部で検出した前記下位装置の製造コードと前記端末装置の製造コードとが一致する場合に前記下位装置からの上り信号を廃棄し、異なる場合又は前記下位装置からの応答がない場合に前記上り信号を透過させる第１透過／廃棄処理部と、
前記比較部において、前記コード検出部で検出した前記下位装置の製造コードと前記端末装置の製造コードとが異なる場合又は前記下位装置からの応答がない場合に、前記下位装置への下り信号を透過させる第２透過／廃棄処理部とを備えるＰＯＮシステム。
【請求項４】
請求項１に記載のＰＯＮシステムであって、
前記端末装置は、複数の前記ポートを備え、
前記ポート毎に、前記第１送信元検出回路、前記第２送信元検出回路、前記他学習テーブル、前記比較部、及び前記透過／廃棄処理部を備えることを特徴とするＰＯＮシステム。
【請求項５】
請求項２に記載のＰＯＮシステムであって、
前記端末装置は、複数の前記ポートを備え、
前記ポート毎に、前記第１宛先検出回路、前記第２宛先検出回路、前記他学習テーブル、前記比較部、前記透過／廃棄処理部、及び前記自学習テーブルを備え、
前記比較部は、前記他学習テーブル及び他のポートの前記自学習テーブルを参照することを特徴とするＰＯＮシステム。
【請求項６】
請求項３に記載のＰＯＮシステムであって、
前記端末装置は、複数の前記ポートを備え、
前記ポート毎に、前記コード送信部、前記コード検出部、前記比較部、前記第１透過／廃棄処理部、及び前記第２透過／廃棄処理部を備えることを特徴とするＰＯＮシステム。
【発明の詳細な説明】
【技術分野】
【０００１】
本発明は、ＰＯＮシステムに係る発明であって、特に、ループ現象の発生を防止可能なＰＯＮシステムに関するものである。
【背景技術】
【０００２】
光ファイバのネットワークシステムとしては、例えば集約局に設けられた局側装置と、加入者側に設置した端末装置とを光ファイバで１対１に接続するシステムが考えられる。しかし、局側装置と加入者側の端末装置との間の全てに専用線を設置する必要がありシステム構築のコストが高くなる。
【０００３】
一方、１対１の専用線を設置しないシステムとしては、局側装置からの入出力を行う１本の光ファイバを光カプラ等の分岐器で複数本に分岐し、分岐先に各加入者側の端末装置を接続するＰＯＮ（Passive Optical Network）システムがある。このＰＯＮシステムでは、伝送路途中に特段の中継装置を設けることなく、複数の加入者に対して高速のデータ送受信が可能となる。このＰＯＮシステムにおいて、局側装置をＯＬＴ（Optical Line Terminal）と呼び、端末装置をＯＮＵ（Optical Network Unit）と呼んでいる。
【０００４】
ＰＯＮシステムにおいて、ＯＬＴにはＳＮＩ（Service Node Interface）を介してＬ３スイッチ（Ｌ３ＳＷ）のような上位装置が接続され、ＯＮＵにはＵＮＩ（User  Network Interface）ポートを介してＰＣやホームゲートウェイ装置等の下位装置が接続される。しかし、工事業者の誤接続等により、あるＯＮＵのＵＮＩポートに、別のＯＮＵのＵＮＩポートを接続する場合がある。このような場合、ＰＯＮシステムにおいてループ現象が発生することになり、上位装置に対してデータの不通状態が生じたり、システム内を不要データが占有し信号帯域を有効活用することができなくなる。
【０００５】
そこで、特許文献１では、ループ現象の発生を防止する機能を有する通信システムを開示している。特許文献１に示す通信システムでは、全ての下位装置の信号を多重した上位装置（例えば、ＡＴＭ装置など）において、上り信号と下り信号のＭＡＣ（Media Access Control）アドレスを学習テーブルで参照し、不要な上り信号を廃棄していた。
【０００６】
【特許文献１】特開２００４−３２０１８６号公報
【発明の開示】
【発明が解決しようとする課題】
【０００７】
しかし、特許文献１の構成では、ループ現象の発生原因となる下位装置から、ループ現象の発生を検出・廃棄処理する上位装置との間で不要なデータが占有することになり、システムの帯域を有効活用できない問題があった。
【０００８】
また、ＰＯＮシステムは、ＯＮＵのＵＮＩポート同士が接続されることでＯＬＴの下り信号が、ＯＮＵの上り信号となるループ現象を生じる。ＰＯＮシステムは、ＵＮＩポートに接続された他のＯＮＵから送信されてきた信号についてＯＬＴからの下り信号であることが認識できず、ＯＬＴ側の上位装置を新規の下位装置として誤認識し、ＭＡＣアドレステーブルを更新し、ＯＬＴに当該信号を送信する問題があった。
【０００９】
そこで、本発明は、ループ現象を防止することが可能で、上位装置との間でデータの不通状態を回避することができ、不要データの占有を回避して信号帯域を有効活用することができるＰＯＮシステムを提供することを目的とする。
【課題を解決するための手段】
【００１０】
本発明に係る解決手段は、上位装置に接続される局側装置と、前記局側装置に接続され、複数に分岐される光伝送路と、前記光伝送路のそれぞれに接続される端末装置とを備えるＰＯＮシステムであって、前記端末装置は、下位装置が接続されるポートと、前記光伝送路を介し前記局側装置から送信された下り信号の送信元アドレスを検出する第１送信元検出回路と、前記ポートで受信した上り信号の送信元アドレスを検出する第２送信元検出回路と、前記第１送信元検出回路で検出された前記下り信号の送信元アドレスを格納する他学習テーブルと、前記第２送信元検出回路で検出された前記上り信号の送信元アドレスを、前記他学習テーブルに格納された前記下り信号の送信元アドレスと比較する比較部と、前記比較部において、前記上り信号の送信元アドレスと前記他学習テーブルに格納された送信元アドレスとが一致する場合に前記上り信号を廃棄し、他の場合に前記上り信号を透過させる透過／廃棄処理部とを備える。
【発明の効果】
【００１１】
本発明に記載のＰＯＮシステムは、透過／廃棄処理部が、比較部において、前記上り信号の送信元アドレスと前記他学習テーブルに格納された送信元アドレスとが一致する場合に前記上り信号を廃棄し、他の場合に前記上り信号を透過させるので、ループ現象を防止することが可能で、上位装置との間でデータの不通状態を回避することができ、不要データの占有を回避して信号帯域を有効活用することができる。
【発明を実施するための最良の形態】
【００１２】
（実施の形態１）
図１に、本実施の形態に係るＰＯＮシステムのブロック図を示す。図１に示すＰＯＮシステムでは、Ｌ３スイッチ（Ｌ３ＳＷ）１０１などの上位装置と接続される局側装置のＯＬＴ１０２と、ＰＣ等の下位装置（図示せず）と接続される端末装置のＯＮＵ１，２，３と、ＯＬＴ１０２とＯＮＵ１，２，３とを繋ぐ光伝送路である光ファイバ１０４，１０５，１０６とで構成されている。ＯＬＴ１０２は、ＳＮＩ（Service Node Interface）を介してＬ３ＳＷ１０１などの上位装置と接続されている。また、ＯＬＴ１０２のＰＯＮインタフェースから出力された光（データ）は分岐器１０３で分岐され、それぞれ光ファイバ１０４，１０５，１０６を介してＯＮＵ１，２，３に送信される。
【００１３】
光ファイバ１０４，１０５，１０６により伝送された光（データ）は、ＯＮＵ１，２，３のＰＯＮインタフェースから入力される。ＯＮＵ１，２，３は、ＵＮＩ（User  Network Interface）ポートを介してＰＣ等の下位装置（図示せず）と接続されている。ＰＯＮシステムは、図１のように構成することで、上位装置と下位装置との間で信号の転送を行い、広域ネットワークを構築している。
【００１４】
本実施の形態に係るＯＮＵ１は、第１送信元検出回路であるＳＡ１検出回路１０、他学習テーブル１１、自学習テーブル１２、第２送信元検出回路であるＳＡ２検出回路１３、比較部１４及び透過／廃棄処理部１５を備えている。図１では、ＯＮＵ１のみＳＡ１検出回路１０等を図示し、ＯＮＵ２，３については図示を省略している。そのため、以下において、本実施の形態に係るＰＯＮシステムの動作を、主にＯＮＵ１を用いて説明する。
【００１５】
ＯＮＵ１は、ＵＮＩポートに接続される下位装置から送信される上り信号（下位装置から上位装置への信号）の送信元アドレスＳＡを検出し、自学習テーブル１２に格納する機能を有している。この機能により、ＵＮＩポートにどのＭＡＣアドレスの機器が接続されているかを認識でき、ＯＬＴ１０２からの下り信号（上位装置から下位装置への信号）の分配を自学習テーブル１２を参照して行うことができる。なお、上り信号及び下り信号がＩＥＥＥ８０２．３規格に準拠した信号であれば、図２に示すようなデータ構造となっている。
【００１６】
図２に一般的なイーサネット（登録商標）のフレーム構成を示す。なお、図２のＤＡデータが宛先アドレスＤＡであり、図２のＳＡデータが送信元アドレスＳＡである。
【００１７】
また、一般的にＰＯＮシステムでは、ＯＬＴ１０２からの下り信号は、接続されている全てのＯＮＵ１，２，３に等しく配信される。そのため、ＯＮＵ１は自身のラベル（例えば＃１）がついた下り信号のみを抽出し、下位装置へ送信する。そのため、ＯＮＵ２，３のラベル（例えば＃２，＃ｎ）がついた下り信号については、本来廃棄されていた。なお、ラベルは、図２に示したデータ構造以外に、ＯＬＴとＯＮＵとの間で付与される識別データである。
【００１８】
本実施の形態に係るＯＮＵ１では、ＰＯＮシステム内のループ現象を検出し、廃棄するシステムを備えている。具体的に、本実施の形態に係るＯＮＵ１では、ＳＡ１検出回路１０を設け、下り信号の送信元アドレスＳＡを抽出し、他学習テーブル１１に格納する機能を有している。なお、自学習テーブル１２、他学習テーブル１１は、エージング機能により５分程度信号がない場合、格納した送信元アドレスは削除されるものとする。また、本実施の形態に係るＯＮＵ１では、上り信号の送信元アドレスＳＡと、他学習テーブル１１に格納されている下り信号の送信元アドレスＳＡとを比較する比較部１４、及び比較部１４の結果に基づいて上り信号の透過又は廃棄の処理を行う透過／廃棄処理部１５を備えている。
【００１９】
次に、図１に示すようにユーザ又は工事業者が誤接続、もしくは悪意を持って、ＯＮＵ１とＯＮＵ２のＵＮＩポート同士をＬＡＮケーブル１０７で接続した場合において、本実施の形態に係るＰＯＮシステムの処理について説明する。まず、ＯＮＵ２に対する下り信号は、ＯＮＵ２のＵＮＩポートからＬＡＮケーブル１０７を介して、ＯＮＵ１に送信される。
【００２０】
ＯＮＵ２に対する下り信号は、ＯＮＵ１において上り信号として認識される。そのため、ＯＮＵ１のＳＡ２検出回路１３では、ＯＮＵ２に対する下り信号から送信元アドレスＳＡを抽出することになる。他学習テーブル１１には、上述したように下り信号の送信元アドレスＳＡが格納されている。そのため、ＯＮＵ１は、比較部１４において、ＳＡ２検出回路１３で検出した送信元アドレスＳＡと、他学習テーブル１１に格納されている下り信号の送信元アドレスＳＡとの比較を行う。そして、両者のアドレスが一致する場合、透過／廃棄処理部１５において、ＯＮＵ１で受信した上り信号が廃棄され、他の場合、ＯＮＵ１で受信した信号を透過させる。
【００２１】
つまり、本来、下位装置から送信される上り信号の送信元アドレスＳＡは、下位装置のＭＡＣアドレスとなるはずであり、上位装置のＭＡＣアドレスが含まれることはない。しかし、図１のようにＯＮＵ２に対する下り信号がＯＮＵ１への上り信号となる場合、当該上り信号の送信元アドレスＳＡは、上位装置のＭＡＣアドレスとなる。そこで、本実施の形態に係るＰＯＮシステムでは、比較部１４で他学習テーブル１１に格納されている下り信号の送信元アドレスＳＡと上り信号の送信元アドレスＳＡとを比較してループ現象の発生の有無を判断している。
【００２２】
以上のように、本実施の形態に係るＰＯＮシステムでは、下り信号の送信元アドレスＳＡを検出するＳＡ１検出回路１０と、検出した送信元アドレスＳＡを格納する他学習テーブル１１と、上り信号の送信元アドレスＳＡを検出するＳＡ２検出回路１３と、他学習テーブル１１に格納された送信元アドレスＳＡとＳＡ２検出回路１３で検出された送信元アドレスＳＡとを比較する比較部１４と、比較部１４の結果に基づき上り信号の透過と廃棄を制御する透過／廃棄処理部１５とを備えるので、ＯＮＵ１，２，３内でループ現象を生じさせる信号を廃棄することができる。また、本実施の形態に係るＰＯＮシステムでは、ループ現象が生じた場合、透過／廃棄処理部で上り信号を廃棄するので、上位装置との間でデータの不通状態を回避することができ、不要データの占有を回避して信号帯域を有効活用することができるＰＯＮシステムを提供できる。
【００２３】
（実施の形態２）
次に、本実施の形態に係るＰＯＮシステムのブロック図を図３に示す。図３に示すＰＯＮシステムは、ＯＮＵ１内の構成以外、図１と同じ構成であるので詳細な説明は省略する。本実施の形態に係るＯＮＵ１は、第１宛先検出回路であるＤＡ１検出回路２０、他学習テーブル２１、自学習テーブル２２、第２宛先検出回路であるＤＡ２検出回路２３、比較部２４及び透過／廃棄処理部２５を備えている。図３では、ＯＮＵ１のみＤＡ１検出回路２０等を図示し、ＯＮＵ２，３については図示を省略している。そのため、以下において、本実施の形態に係るＰＯＮシステムの動作を、主にＯＮＵ１を用いて説明する。
【００２４】
ＯＮＵ１は、ＵＮＩポートに接続される下位装置から送信される上り信号の送信元アドレスＳＡを検出し、自学習テーブル２２に格納する機能を有している。この機能により、ＵＮＩポートにどのＭＡＣアドレスの機器が接続されているかを認識でき、ＯＬＴ１０２からの下り信号の分配を自学習テーブル１２を参照して行うことができる。
【００２５】
さらに、本実施の形態に係るＯＮＵ１では、ＤＡ１検出回路２０を設け、他のＯＮＵ２，３に接続された下位装置への下り信号から宛先アドレスＤＡを抽出し、他学習テーブル２１に格納する機能を有している。なお、他学習テーブル２１は、５分程度のエージングにより信号がない場合、格納した宛先アドレスが削除されるものとする。
【００２６】
次に、図３に示すようにユーザ又は工事業者が誤接続、もしくは悪意を持って、ＯＮＵ１とＯＮＵ２のＵＮＩポート同士をＬＡＮケーブル１０７で接続した場合において、本実施の形態に係るＰＯＮシステムの処理について説明する。まず、ＯＮＵ２に対する下り信号は、ＯＮＵ２のＵＮＩポートからＬＡＮケーブル１０７を介して、ＯＮＵ１に送信される。
【００２７】
ＯＮＵ２に対する下り信号は、ＯＮＵ１において上り信号として認識される。そのため、ＯＮＵ１のＤＡ２検出回路２３では、ＯＮＵ２に対する下り信号から宛先アドレスＤＡを抽出することになる。他学習テーブル２１には、上述したように他のＯＮＵ２，３に接続されている下位装置の宛先アドレスＤＡが格納されている。そのため、ＯＮＵ１は、比較部２４において、ＤＡ２検出回路２３で検出した宛先アドレスＤＡと、他学習テーブル２１に格納されている宛先アドレスＤＡとの比較を行う。そして、両者のアドレスが一致する場合、透過／廃棄処理部２５において、ＯＮＵ１で受信した上り信号が廃棄され、他の場合、ＯＮＵ１で受信した信号を透過させる。
【００２８】
つまり、本実施の形態に係るＰＯＮシステムでは、他学習テーブル２１に他のＯＮＵ２，３に接続された下位装置の宛先アドレスＤＡを格納しておき、上り信号の宛先アドレスＤＡが他学習テーブル２１に格納された宛先アドレスＤＡとを比較して、ループ現象の有無を判断している。
【００２９】
以上のように、本実施の形態に係るＰＯＮシステムでは、下り信号の宛先アドレスを検出するＤＡ１検出回路２０と、検出した宛先アドレスを格納する他学習テーブル２１と、上り信号の宛先アドレスを検出するＤＡ２検出回路２３と、他学習テーブル２１に格納された宛先アドレスとＤＡ２検出回路１３で検出された宛先アドレスとを比較する比較部２４と、比較部２４の結果に基づき上り信号の透過と廃棄を制御する透過／廃棄処理部２５とを備えるので、ＯＮＵ１，２，３内でループ現象を生じさせる信号を廃棄することができる。また、本実施の形態に係るＰＯＮシステムでは、ループ現象が生じた場合、透過／廃棄処理部で上り信号を廃棄するので、上位装置との間でデータの不通状態を回避することができ、不要データの占有を回避して信号帯域を有効活用することができるＰＯＮシステムを提供できる。さらに、本実施の形態に係るＰＯＮシステムでは、他のＯＮＵ２，３から送信されてきた信号を認識できるので、他のＯＮＵ２，３に接続された下位装置のＭＡＣアドレスを新規の下位装置として誤認識し、ＭＡＣアドレステーブルを更新する問題がない。
【００３０】
（実施の形態３）
図４に、本実施の形態に係るＰＯＮシステムのブロック図を示す。図４に示すＰＯＮシステムでは、Ｌ３ＳＷ１０１などの上位装置と接続されるＯＬＴ１０２と、ＰＣ等の下位装置（図示せず）と接続される端末装置のＯＮＵ１，２，３と、ＯＬＴ１０２とＯＮＵ１，２，３とを繋ぐ光伝送路である光ファイバ１０４，１０５，１０６とで構成されている。ＯＬＴ１０２は、ＳＮＩを介してＬ３ＳＷ１０１などの上位装置と接続されている。また、ＯＬＴ１０２のＰＯＮインタフェースから出力された光（データ）は分岐器１０３で分岐され、それぞれ光ファイバ１０４，１０５，１０６を介してＯＮＵ１，２，３に送信される。
【００３１】
光ファイバ１０４，１０５，１０６により伝送された光（データ）は、ＯＮＵ１，２，３のＰＯＮインタフェースから入力される。ＯＮＵ１，２，３は、ＵＮＩポートを介してＰＣ等の下位装置（図示せず）と接続されている。ＰＯＮシステムは、図４のように構成することで、上位装置と下位装置との間で信号の転送を行い、広域ネットワークを構築している。
【００３２】
本実施の形態に係るＯＮＵ１，２，３は、コード送信部３１、コード検出部３２、下り透過／廃棄処理部３３、比較部３４、及び上り透過／廃棄処理部３５とを備えている。図４では、ＯＮＵ１のみコード送信部３１等を図示し、ＯＮＵ２，３については図示を省略している。そのため、以下において、本実施の形態に係るＰＯＮシステムの動作を、主にＯＮＵ１を用いて説明する。
【００３３】
まず、本実施の形態に係るＰＯＮシステムでは、ＯＮＵ１がＵＮＩポートを介して下位装置と接続されている。そして、本実施の形態に係るＰＯＮシステムでは、接続先とリンク接続するまでの間、下り透過／廃棄処理部３３で全ての下り信号を廃棄して、ＵＮＩポートの誤接続によるループ現象が発生しないようにしておく。そして、ＵＮＩポートのリンク確立後、最初にコード送信部３１からＯＮＵ１の製造コード等を含む信号を生成し、ＵＮＩポートから出力する。他のＯＮＵ２，３においても同様に、ＵＮＩポートのリンク確立後、コード送信部からＯＮＵ２，３の製造コード等を含む信号を生成し、ＵＮＩポートから出力する。
【００３４】
ＯＮＵ１がＵＮＩポートを介してＯＮＵ２と接続されている場合、ＯＮＵ１は、ＵＮＩポートからＯＮＵ２の製造コードを受信することになる。そのため、ＯＮＵ１では、コード検出部３２において受信した信号を解析し、ＯＮＵ２と接続されているか、それ以外の機器と接続されているかを識別できる。
【００３５】
つまり、同一種又は同型種のＯＮＵについて同じ製造コードを付与する場合、コード検出部３２で検出した製造コードが、ＯＮＵ１自身の製造コードと一致するか否かを比較部３４で判定する。そして、比較部３４において、コード検出部３２で検出した製造コードが、ＯＮＵ１自身の製造コードと一致する場合、上り透過／廃棄処理部３５は、ＵＮＩポートの上り信号を全て廃棄処理する。
【００３６】
ＯＮＵ１において製造コードを送信した後に応答がない、もしくは受信した製造コードがＯＮＵ１自身の製造コードと異なる場合、ＰＯＮシステムにおいてループ現象が発生していないとして、比較部３４は、上り透過／廃棄処理部３５及び下り透過／廃棄処理部３３に対し透過設定を行い、ＰＯＮシステムの信号導通を開始する。
【００３７】
次に、ＯＮＵ１と接続先装置４１とがＵＮＩポートで接続されている場合の本実施の形態に係るＰＯＮシステムの動作を、図５を用いて詳しく説明する。図５は、リンク確立後から下り信号の送信開始までの流れを模式的に示した図である。まず、ＯＮＵ１及び接続先装置４１はリンクを確立した後、それぞれ下り信号の透過を停止する。次に、ＯＮＵ１及び接続先装置４１は、それぞれのコード送信部において製造コード等を含む応答メッセージを生成する。そして、ＯＮＵ１は、コード送信部３１で生成した製造コード等を含む応答メッセージを接続先装置４１に送信する。ＯＮＵ１からの製造コードを受信した接続先装置４１が受信応答した場合はタイマ１がクリアされ、応答がない場合ＯＮＵ１は応答メッセージを再送する。なお、応答メッセージの送信に障害がある場合も、応答メッセージは再送される。
【００３８】
一方、接続先装置４１は、コード送信部で生成した製造コード等を含む応答メッセージをＯＮＵ１に送信する。ＯＮＵ１では、接続先装置４１からの製造コードを受信するとタイマ２をクリアする。また、接続先装置４１からの信号を受信したＯＮＵ１が受信応答した場合はタイマ３がクリアされ、応答がない場合、接続先装置４１は応答メッセージを再送する。なお、応答メッセージの送信に障害がある場合も、応答メッセージは再送される。
【００３９】
次に、ＯＮＵ１及び接続先装置４１は、それぞれコード検出部で受信した信号から製造コードを検出し、格納している製造コード（例えば、自身の製造コード）と一致しているか否かを比較部で判断する。接続先装置４１がＯＮＵ１と同機種の場合、同機種同士の接続なのでループ現象が生じるとして、当該事実をＯＬＴ１０２に通知し待機する。接続先装置４１がＯＮＵ１と異なる機種の場合、ループ現象が生じることはないとして、下り信号の送信を開始する。
【００４０】
以上のように本実施の形態に係るＰＯＮシステムでは、製造コードを生成し、送信するコード送信部３１と、受信した製造コードを検出するコード検出部３２と、検出した製造コードを比較する比較部３４と、上り透過／廃棄処理部３５及び下り透過／廃棄処理部３３とを備えるので、ループ現象を回避可能なＰＯＮシステムを提供することができる。また、本実施の形態に係るＰＯＮシステムでは、ループ現象が生じた場合、上り信号及び下り信号を廃棄するので、上位装置との間でデータの不通状態を回避することができ、不要データの占有を回避して信号帯域を有効活用することができるＰＯＮシステムを提供できる。
【００４１】
なお、本実施の形態に係るＰＯＮシステムでは、同一種又は同型種の製造コードについては同じコードとする場合について説明したが、本発明はこれに限られない。例えば、製造コードの上位数桁について同一種又は同型種で同じにする方法や、ループ現象が生じる製造コードのリストをＯＮＵ内で保持して運用する方法などが考えられる。
【００４２】
（実施の形態４）
図６に、本実施の形態に係るＰＯＮシステムのブロック図を示す。図６に示すＰＯＮシステムでは、Ｌ３ＳＷ１０１などの上位装置と接続されるＯＬＴ１０２と、ＰＣ等の下位装置（図示せず）と接続される端末装置のＯＮＵ１，２，３と、ＯＬＴ１０２とＯＮＵ１，２，３とを繋ぐ光伝送路である光ファイバ１０４，１０５，１０６とで構成されている。ＯＬＴ１０２は、ＳＮＩを介してＬ３ＳＷ１０１などの上位装置と接続されている。また、ＯＬＴ１０２のＰＯＮインタフェースから出力された光（データ）は分岐器１０３で分岐され、それぞれ光ファイバ１０４，１０５，１０６を介してＯＮＵ１，２，３に送信される。
【００４３】
光ファイバ１０４，１０５，１０６により伝送された光（データ）は、ＯＮＵ１，２，３のＰＯＮインタフェースから入力される。ＯＮＵ１，２，３は、ＵＮＩポートを介してＰＣ等の下位装置（図示せず）と接続されている。さらに、本実施の形態では、ＯＮＵ１，２，３のそれぞれが複数のＵＮＩポートを備えマルチチャンネル化している。また、ＰＯＮシステムは、図６のように構成することで、上位装置と下位装置との間で信号の転送を行い、広域ネットワークを構築している。
【００４４】
本実施の形態に係るＯＮＵ１は、ポート毎に、ＳＡ１検出回路１０、他学習テーブル１１、自学習テーブル１２、ＳＡ２検出回路１３、比較部１４及び透過／廃棄処理部１５を備えている。なお、図６では、ＵＮＩポート＃１のみＳＡ１検出回路１０等を図示し、他ＵＮＩポートの構成は図示を省略している。また、図６では、ＯＮＵ１のみＳＡ１検出回路１０等を図示し、ＯＮＵ２，３については図示を省略している。そのため、以下において、本実施の形態に係るＰＯＮシステムの動作を、主にＯＮＵ１のＵＮＩポート＃１を用いて説明する。
【００４５】
図６に示すＯＮＵ１は、ＵＮＩポートの数が多くなっている点以外は、図１に示す構成と同じであり、自学習テーブル１２もＵＮＩポート数だけ存在する。また、図６に示すＯＮＵ１では、ＵＮＩポート＃１とＵＮＩポート＃２とがＬＡＮケーブル１０８で接続されている。つまり、図６に示すＯＮＵ１では、ＯＮＵ１内でループ現象が生じる構成となっている。なお、図６に示すＯＮＵ１では、ＵＮＩポート＃ＮがＯＮＵ２のＵＮＩポートとも接続されている。ＯＮＵ１とＯＮＵ２との間で生じるループ現象の回避方法については、実施の形態１の場合と同じであるため本実施の形態では説明を省略する。
【００４６】
以下では、本実施の形態に係るＯＮＵ１内で生じるループ現象を回避するための方法について説明する。まず、ＵＮＩポート＃２への下り信号は、ＬＡＮケーブル１０８を介して接続されたＵＮＩポート＃１への上り信号となる。この上り信号は、ＳＡ２検出回路１３で上り信号の送信元アドレスＳＡが抽出される。一方、ＵＮＩポート＃１への下り信号は、ＳＡ１検出回路１０で下り信号の送信元アドレスＳＡが抽出される。抽出された下り信号の送信元アドレスＳＡは、他学習テーブル１１に格納される。
【００４７】
比較部１４では、ＳＡ２検出回路１３で抽出した上り信号の送信元アドレスＳＡと、他学習テーブル１１に格納されている下り信号の送信元アドレスＳＡとを比較する。比較部１４で両者が一致する場合ループ現象が発生していると判断し、透過／廃棄処理部１５は上り信号を廃棄し、他の場合ループ現象が発生していないと判断し、透過／廃棄処理部１５は上り信号を透過し、上り信号の送信元アドレスＳＡを自学習テーブル１２に格納する。
【００４８】
以上のように、本実施の形態に係るＰＯＮシステムでは、ポート毎に、ＳＡ１検出回路１０、他学習テーブル１１、ＳＡ２検出回路１３、比較部１４、透過／廃棄処理部１５、及び自学習テーブル１２を備えるので、同一ＯＮＵ内で生じるループ現象も回避可能なＰＯＮシステムを提供することができる。
【００４９】
なお、本実施の形態では、図１に示したＰＯＮシステムのＯＮＵをマルチポート化した構成であったが、本発明はこれに限られず、図３に示したＰＯＮシステムのＯＮＵをマルチポート化した構成であっても良い。図３に示したＰＯＮシステムのＯＮＵをマルチポート化した場合の構成を図７に示す。図７に示すＰＯＮシステムのＯＮＵ１では、ポート毎に、ＤＡ１検出回路２０、他学習テーブル２１、自学習テーブル２２、ＤＡ２検出回路２３、比較部２４及び透過／廃棄処理部２５を備えている。なお、図７では、ＵＮＩポート＃１のみＤＡ１検出回路２０等を図示し、他は省略している。ただし、図７では、他のＵＮＩポートの自学習テーブル２９のみ図示している。例えば、Ｎ個ポートがある場合、Ｎ−１個の他のＵＮＩポートの自学習テーブル２９が存在する。
【００５０】
そして、図７に示すＰＯＮシステムでは、ＤＡ１検出回路２０で下り信号から宛先アドレスＤＡを抽出し、当該下り信号の宛先アドレスＤＡを他学習テーブル２１に格納する。一方、ＤＡ２検出回路２３では、上り信号から宛先アドレスＤＡを抽出する。そして、比較部２４で、抽出した上り信号の宛先アドレスＤＡを、他学習テーブル２１に格納されている宛先アドレスＤＡ及び他のポートの自学習テーブル２９に格納されているＭＡＣアドレスと比較する。比較部２４で両者が一致する場合ループ現象が発生していると判断し、透過／廃棄処理部２５は上り信号を廃棄し、他の場合ループ現象が発生していないと判断し、透過／廃棄処理部２５は上り信号を透過させる。
【００５１】
他学習テーブル２１は、他のＯＮＵに接続された下位装置のＭＡＣアドレスのみが格納される。そのため、図７のようにのＯＮＵをマルチポート化したＰＯＮシステムの場合、比較部２４において他学習テーブル２１のみを参照するだけでは、ＯＮＵ内のループ現象は発見できない。そこで、図７に示したＰＯＮシステムでは、比較部２４が他学習テーブル２１に加えて他のポートの自学習テーブル２９も参照することで、同一ＯＮＵ内の他のポートに接続されている下位装置のＭＡＣアドレスも比較可能となる。これにより、図７に示したＰＯＮシステムでは、同一ＯＮＵ内で生じるループ現象も回避可能となる。
【００５２】
なお、実施の形態３で説明したＰＯＮシステムであっても、１つのＯＮＵ内に複数のＵＮＩポートを設けマルチチャンネル化が可能であり、その場合には、ＵＮＩポート毎に、コード送信部３１、コード検出部３２、下り透過／廃棄処理部３３、比較部３４及び上り透過／廃棄処理部３５を備えることで、同一ＯＮＵ内で生じるループ現象を回避することができる。
【図面の簡単な説明】
【００５３】
【図１】本発明の実施の形態１に係るＰＯＮシステムのブロック図である。
【図２】本発明の実施の形態１に係るＰＯＮシステムで送受信される信号の概略図である。
【図３】本発明の実施の形態２に係るＰＯＮシステムのブロック図である。
【図４】本発明の実施の形態３に係るＰＯＮシステムのブロック図である。
【図５】本発明の実施の形態３に係るＰＯＮシステムの動作を説明する図である。
【図６】本発明の実施の形態４に係るＰＯＮシステムのブロック図である。
【図７】本発明の実施の形態４に係る別のＰＯＮシステムのブロック図である。
【符号の説明】
【００５４】
１，２，３  ＯＮＵ、１０１  Ｌ３スイッチング、１０２  ＯＬＴ、１０３  分岐器、１０４，１０５，１０６  光ファイバ、１０  ＳＡ１検出回路、１１，１９，２１  他学習テーブル、１２，２２  自学習テーブル、１３  ＳＡ２検出回路、１４，２４  比較部、１５，２５  透過／廃棄処理部、２０  ＤＡ１検出回路、２３  ＤＡ２検出回路、３１  コード送信部、３２  コード検出部、３３  下り透過／廃棄処理部、３４  比較部、３５  上り透過／廃棄処理部、４１  接続先装置。
【図１】
2007243861.tif 000003
【図２】
2007243861.tif 000004
【図３】
2007243861.tif 000005
【図４】
2007243861.tif 000006
【図５】
2007243861.tif 000007
【図６】
2007243861.tif 000008
【図７】
2007243861.tif 000009